(57)【要約】【課題】小型化が可能な照明装置を提供する。【解決手段】照明装置１０は、発光部３０と、発光部３０が載置される載置面４１を有し、発光部３０が発する光を反射する反射板４０と、載置面４１とは反対側の面側に配置され、発光部３０の点灯状態を制御する点灯制御装置７０と、点灯制御装置７０が載置される主面１２ａを有し、反射板４０が取付けられる器具本体１１とを備え、発光部３０は、平面視した場合に、反射板４０の中央部に位置し、反射板４０は、発光部３０から離れるにつれて開口面積が広がる形状であり、点灯制御装置７０は、主基板７７と、主基板７７に実装される複数の電子部品１２０とを有し、複数の電子部品１２０の中の最も高背な電子部品は、複数の電子部品１２０の中で発光部３０から最も離れた位置に実装される。【選択図】図９
2018116916.tif 000002
【特許請求の範囲】
【請求項１】
発光部と、
前記発光部が載置される載置面を有し、前記発光部が発する光を反射する反射板と、
前記載置面とは反対側の面側に配置され、前記発光部の点灯状態を制御する点灯制御装置と、
前記点灯制御装置が載置される主面を有し、前記反射板が取付けられる器具本体とを備え、
前記発光部は、平面視した場合に、前記反射板の中央部に位置し、
前記反射板は、前記発光部から離れるにつれて開口面積が広がる形状であり、
前記点灯制御装置は、主基板と、前記主基板に実装される複数の電子部品とを有し、
前記複数の電子部品の中の最も高背な電子部品は、前記複数の電子部品の中で前記発光部から最も離れた位置に実装される
照明装置。
【請求項２】
前記主基板に実装される前記複数の電子部品の中で、相対的に発熱量が大きい電子部品は、相対的に発熱量が小さい電子部品よりも相対的に前記発光部から離れた位置に実装される
請求項１に記載の照明装置。
【請求項３】
さらに、前記主基板を覆う制御カバーを備える
請求項１又は２に記載の照明装置。
【請求項４】
前記主基板の法線方向に位置する前記制御カバーの天面は、前記反射板の形状に沿うように、前記発光部から離れるにつれて前記主面に対して傾斜した形状を有する
請求項３に記載の照明装置。
【請求項５】
前記反射板の周縁には、フランジ状の平坦部が設けられ、
前記天面は、前記反射板の形状に沿うように前記発光部から離れるにつれて前記主面に対して傾斜し、さらに前記平坦部に沿うように屈曲して延在した形状を有する
請求項４に記載の照明装置。
【請求項６】
前記点灯制御装置は、さらに、複数の電子部品が実装され、平面視において前記主基板より面積が小さい副基板を備え、
前記副基板は、平面視した場合に前記反射板の周縁で前記主基板と重なり、且つ、前記主基板の法線方向に前記主基板とは離れた位置に配置される
請求項５に記載の照明装置。
【発明の詳細な説明】
【技術分野】
【０００１】
本発明は、照明装置に関する。
【背景技術】
【０００２】
近年、ＬＥＤ（Ｌｉｇｈｔ  Ｅｍｉｔｔｉｎｇ  Ｄｉｏｄｅ）照明装置が普及しつつある。例えば特許文献１には、ＬＥＤを備える光源モジュールと、当該光源モジュールの点灯を制御する点灯回路（点灯制御装置）とを備える照明装置が開示されている。
【先行技術文献】
【特許文献】
【０００３】
【特許文献１】特開２０１６−０９１７４１号公報
【発明の概要】
【発明が解決しようとする課題】
【０００４】
ところで、照明装置には、照明装置の設置のしやすさ、又は、照明装置によって外観を損ねないために、小型化が要望される。
【０００５】
本発明は、小型化が可能な照明装置を提供する。
【課題を解決するための手段】
【０００６】
本発明の一態様に係る照明装置は、発光部と、前記発光部が載置される載置面を有し、前記発光部が発する光を反射する反射板と、前記載置面とは反対側の面側に配置され、前記発光部の点灯状態を制御する点灯制御装置と、前記点灯制御装置が載置される主面を有し、前記反射板が取付けられる器具本体とを備え、前記発光部は、平面視した場合に、前記反射板の中央部に位置し、前記反射板は、前記発光部から離れるにつれて前記載置面側に開口面積が広がる形状であり、前記点灯制御装置は、主基板と、前記主基板に実装される複数の電子部品とを有し、前記複数の電子部品の中の最も高背な電子部品は、前記複数の電子部品の中で前記発光部から最も離れた位置に実装される。
【発明の効果】
【０００７】
本発明によれば、小型化が可能な照明装置が実現される。
【図面の簡単な説明】
【０００８】
【図１】図１は、実施の形態に係る照明装置の下方から見た外観斜視図である。
【図２】図２は、実施の形態に係る照明装置の下方から見た分解斜視図である。
【図３】図３は、反射板に取付けられる構成要素を反射板から取り外した図である。
【図４】図４は、実施の形態に係る照明装置の透光カバーを取り外した場合の下面図である。
【図５】図５は、図４の照明装置から反射板を取り外した場合の下面図である。
【図６】図６は、図４のＶＩ−ＶＩ線に対応した位置で照明装置を切断した場合の断面図である。
【図７】図７は、実施の形態に係る点灯制御装置の外観斜視図である。
【図８】図８は、実施の形態に係る点灯制御装置の分解斜視図である。
【図９】図９は、実施の形態に係る照明装置の構成要素の配置を説明するための下面図である。
【図１０】図１０は、図４のＸ−Ｘ線に対応した位置で照明装置を切断した場合の断面図である。
【図１１】図１１は、実施の形態に係る主基板と、主基板に実装された複数の電子部品を示す側面図である。
【発明を実施するための形態】
【０００９】
以下、実施の形態について、図面を参照しながら具体的に説明する。なお、以下で説明する実施の形態は、いずれも包括的又は具体的な例を示すものである。以下の実施の形態で示される数値、形状、材料、構成要素などは、一例であり、本発明を限定する主旨ではない。また、以下の実施の形態における構成要素のうち、最上位概念を示す独立請求項に記載されていない構成要素については、任意の構成要素として説明される。
【００１０】
また、各図は、模式図であり、必ずしも厳密に図示されたものではない。なお、各図において、実質的に同一の構成に対しては同一の符号を付しており、重複する説明は省略又は簡略化される場合がある。
【００１１】
以下の実施の形態の図面においては、Ｙ軸方向は、例えば上下方向（鉛直方向）であり、Ｙ軸負方向側は、上側又は天井側と記載される場合がある。また、Ｙ軸正方向側は、下側と記載される場合がある。また、Ｘ軸方向及びＺ軸方向は、Ｙ軸に垂直な平面（水平面）上において、互いに直交する方向である。
【００１２】
また、本明細書において、「略」又は「約」とは、製造又は配置の際に生じる誤差を含むことを意味する。
【００１３】
（実施の形態）
［照明装置の構成］
実施の形態に係る照明装置の構成について詳細に説明する。
【００１４】
図１は、実施の形態に係る照明装置の下方から見た外観斜視図である。図２は、実施の形態に係る照明装置の下方から見た分解斜視図である。図３は、実施の形態に係る照明装置が備える反射板に取付けられる構成要素を反射板から取り外した図である。図４は、実施の形態に係る照明装置の透光カバーを取り外した場合の下面図である。図５は、図４の照明装置から反射板を取り外した場合の下面図である。具体的には、図５は、実施の形態に係る照明装置から透光カバーと、反射板と、反射板に取付けられる構成要素を取り外した図である。図６は、図４のＶＩ−ＶＩ線に対応する位置で照明装置を切断した場合の断面図である。つまり、図６は、透光カバーを取付けた状態の照明装置を、図４に示すＶＩ−ＶＩ線に対応する位置に沿って切断した断面を示す断面図である。
【００１５】
図１〜図６に示されるように、照明装置１０は、器具本体１１と、発光部３０と、反射板４０と、透光カバー５０と、蓄電池６０と、点灯制御装置７０と、端子台８０と、を備える。
【００１６】
照明装置１０は、例えば、マンションの共用部などの半屋外空間で使用される、防災用（非常用）の照明装置である。照明装置１０は、具体的には、シーリングライトとして天井やブラケットライトとして壁面などの施工面に取付けられる。本実施の形態においては、照明装置１０の平面視形状は、円形である。なお、「平面視」とは、器具本体１１に設けられた主面１２ａ、又は、反射板４０に設けられた載置面４１を法線方向から見た場合を示す。
【００１７】
器具本体１１は、天井又は壁面などの造営材の施工面に取付けられる部材であり、言い換えれば、取付け台である。器具本体１１は、例えば、アルミダイカスト等によって形成されるが、その他の金属、又は樹脂によって形成されてもよい。器具本体１１は、平面視形状が円形の平板状のベース部１２と、ベース部１２の周縁近傍に立設した側壁部１３とを含む有底筒状である。
【００１８】
ベース部１２は、器具本体１１を造営材に取付けるための取付け構造（開口）が設けられている。ベース部１２は、平板状であり、後述する蓄電池６０等の照明装置１０の構成部材が載置される面（主面１２ａ）とは反対側の面（取付け面１２ｂ）側が、造営材の施工面に取付けられる。なお、照明装置１０が造営材の施工面に取付けられた場合に、造営材の施工面と、上述した蓄電池６０等の照明装置１０の構成部材が載置される主面１２ａとは、略平行となる。また、以下の実施の形態では、器具本体１１（照明装置１０）は、天井に取付けられるものとして説明が行われる。
【００１９】
ベース部１２には、２つの取付け部１４が備えられている。
【００２０】
取付け部１４は、主面１２ａに対して平行な方向の反射板４０の動きを規制し、反射板４０が着脱可能に取付けられる部材であり、造営材の施工面に対して垂直な方向に立設された状態でベース部１２に設けられる。つまり、取付け部１４は、反射板４０を器具本体１１に着脱可能に取付けるための部材である。なお、取付け部１４の構造は限定されるものではない。取付け部１４は、例えば、ねじ２６と、ねじ２６を支持し、ベース部１２に立設される支柱部２７とから構成される。
【００２１】
また、図３に示されるように、反射板４０は一対の取付け孔４５を有する。また、器具本体１１には、一対の取付け部１４が設けられる。また、一対の取付け孔４５と一対の取付け部１４とはそれぞれが対応した位置に配置される。図５に示されるように、一対の取付け部１４は、ベース部１２の周縁近傍の対向した位置に配置される。
【００２２】
器具本体１１のベース部１２には、蓄電池６０、点灯制御装置７０及び端子台８０が載置される。
【００２３】
蓄電池６０は、発光部３０に電力を供給する電源である。蓄電池６０は、例えば、外部からの交流電力の供給が停止されたときに、非常用の電源として使用される。蓄電池６０は、例えば、ニッケル水素電池である。蓄電池６０は、充電及び放電が可能な電池であればよく、リチウムイオン電池又は鉛蓄電池等であってもよい。蓄電池６０は、蓄電池カバー６１によって下方から覆われる。蓄電池カバー６１は、例えば、アルミダイカストによって形成されるが、樹脂によって形成されてもよい。
【００２４】
点灯制御装置７０は、照明装置１０の外部から供給される交流電力を直流電力に変換して発光部３０に供給する電源回路を含む制御回路１２３（図８参照）を備える電源回路ユニットである。点灯制御装置７０は、発光部３０の点灯状態を制御する制御回路１２３（図８参照）を構成する複数の電子部品１２０（図８参照）が実装された主基板７７を備える。また、点灯制御装置７０は、蓄電池６０の状態に応じて点灯状態が変わるモニタランプ７３が実装された、主基板７７よりも面積の小さい副基板７８を備える。点灯制御装置７０の詳細については、後述する。
【００２５】
端子台８０は、外部交流電源と点灯制御装置７０とを電気的に接続させるために電線が差し込まれる１又は複数の端子が配設された端子ユニットである。交流電力は、端子台８０に差し込まれた電線を介して外部交流電源から点灯制御装置７０へ供給される。
【００２６】
発光部３０は、照明光を発する照明装置１０の照明用光源として機能する。発光部３０は、具体的には、基板上に実装されたＬＥＤチップが、蛍光体を含有する透光性樹脂によって封止されたＣＯＢ（Ｃｈｉｐ  Ｏｎ  Ｂｏａｒｄ）型の発光モジュール３１を備える。発光部３０は、円形の発光領域を有する。本実施の形態においては、発光部３０は、さらに、配光を制御するためのレンズを有し、発光部３０を反射板４０にネジ止めするためのホルダ３２を備える。発光部３０は、例えば、白色光を主とした照明光を下方に向けて発する。つまり、発光部３０は、白色光を透光カバー５０に向けて発する。なお、発光部３０と載置面４１との間には、放熱シート３３などの放熱部材が配置されてもよい。
【００２７】
また、発光部３０は、透光カバー５０が備える光透過部材５１と反射板４０との間に配置される。また、平面視した場合に、発光部３０は反射板４０下面の中央部に位置する載置面４１に配置される。発光部３０は、反射板４０の載置面４１に載置され、載置面４１にねじ止めされる。なお、図示されないが、発光部３０は、蓄電池６０及び点灯制御装置７０とリード線などによって電気的に接続される。
【００２８】
ところで、上述したように照明装置が備える光源の交換等のために、壁、天井等の造営材に固定される照明装置の本体と、照明装置が備える照明装置の構成部材とがねじ止め等によって着脱可能に取付けられる場合がある。実施の形態に係る照明装置１０においては、照明装置１０は蓄電池６０を備える。一般的に、蓄電池が内蔵された例えば防災用（非常用）の照明装置は、定期的に蓄電池の状態を確認する必要がある。この際に、蓄電池に要求される能力を満たしていないことが確認された場合、蓄電池は交換される必要がある。そのために、照明装置１０においては、器具本体１１に取付けられている蓄電池６０を交換しやすくするために、反射板４０及び透光カバー５０は器具本体１１と着脱可能に取付けられている。
【００２９】
反射板４０は、発光部３０が配置される載置面４１が設けられ、発光部３０が発する光を反射する板体である。また、反射板４０は、発光部３０から発せられる光を、透光カバー５０（具体的には、光透過部材５１）側へ反射する。また、反射板４０は、発光部３０を器具本体１１に着脱可能に取付けるための取付け部材である。具体的には、反射板４０は、主面１２ａに対して平行な方向にスライドされることにより、器具本体１１（具体的には、取付け部１４）に着脱可能に取付けられる。また、反射板４０は、ベース部１２に載置された蓄電池６０、点灯制御装置７０及び端子台８０を覆うように器具本体１１に取付けられる。言い換えると、蓄電池６０、点灯制御装置７０及び端子台８０は、反射板４０に覆われて器具本体１１に載置される。また、反射板４０は、発光部３０の光軸Ｌ方向（Ｙ軸方向）において、器具本体１１（具体的にはベース部１２）と透光カバー５０（具体的には透光カバー５０が備える光透過部材５１）との間に配置される。図６に示されるように、反射板４０とベース部１２との間、及び、反射板４０と光透過部材５１との間のそれぞれには、空隙（空気層）が形成される。つまり、反射板４０は、器具本体１１及び光透過部材５１のいずれの部材とも直接接触しない。このように、発光部３０が反射板４０の載置面４１に載置される構造によれば、発光部３０がベース部１２に載置される構造よりも、発光部３０が発する熱がベース部１２に伝わりにくい効果が得られる。
【００３０】
また、反射板４０は、上方（ベース部１２側）に向かうほど縮径する略漏斗状である。言い換えると、反射板４０は、発光部３０から離れるにつれて載置面４１側に開口面積が広がる形状である。反射板４０は、例えば、アルミニウムによって形成されるが、その他の金属又は樹脂によって形成されてもよい。
【００３１】
図３に示されるように、反射板４０は、載置面４１、傾斜部４２、及び平坦部４３を有する。
【００３２】
載置面４１は、反射板４０の略中央部に位置し、発光部３０が載置される平面である。載置面４１の平面視形状は、特に限定されるものではないが、本実施の形態においては円形である。発光部３０は、載置面４１に載置されることにより、光透過部材５１と反射板４０との間に位置する。
【００３３】
また、反射板４０のうち載置面４１の反対側の面、つまり、載置面４１と背向する面には、ヒートシンクが配置されてもよい。ヒートシンクによれば、発光部３０が発光中に発する熱を当該ヒートシンクに逃がすことができる。ヒートシンクは、例えば、アルミダイカストによって形成されるが、その他の金属によって形成されてもよい。
【００３４】
また、反射板４０には、発光部３０が発する光を透光カバー５０側に反射させる傾斜部４２が含まれるとよい。傾斜部４２は、載置面４１の周囲を囲むように載置面４１と連続的に形成された部分であり、発光部３０が発する光の一部を光透過部材５１に向けて反射する。傾斜部４２は、反射板４０の径方向において一部が湾曲したテーパ部分である。
【００３５】
また、反射板４０の周縁部には、傾斜部４２に対して傾斜して延在したフランジ状の平坦部４３が設けられる。具体的には、反射板４０の周縁部には、傾斜部４２に対して傾斜し、載置面４１に対して略平行な平坦部４３が設けられる。言い換えると、反射板４０の周縁近傍には、発光部３０が発する光の光軸Ｌ方向に対して略垂直方向に屈曲して形成された平坦部４３が設けられる。平坦部４３には、開口部４４及び取付け孔４５が設けられる。
【００３６】
開口部４４は、光軸Ｌ方向に貫通して形成された貫通孔である。開口部４４には、モニタランプ７３が位置する。具体的には、開口部４４は、モニタランプ７３を有するモニタユニット７１が嵌合される。なお、開口部４４は、反射板４０を器具本体１１に取付けやすくするために、反射板４０の周縁を切り欠いて形成される切り欠き部であるとよい。
【００３７】
反射板４０の周縁部（平坦部４３）には、一対の取付け孔４５が対向して配置される。取付け孔４５は、取付け部１４に対応して位置し、光軸Ｌ方向に貫通して形成された貫通孔である。取付け孔４５が取付け部１４に係合されることで、反射板４０は器具本体１１に取付けられる。なお、反射板４０の平坦部４３に配置される取付け孔４５の数は特に限定されるものではない。器具本体１１に設けられる取付け部１４に対応した数だけ設けられるとよい。
【００３８】
透光カバー５０は、器具本体１１とともに照明装置１０の外郭筐体の一部を構成する、器具本体１１と着脱可能なカバー部材である。透光カバー５０は、光透過部材５１と、枠体５２とを備える。
【００３９】
光透過部材５１は、下方に向かって突出した略円形ドーム状の光学部材（グローブ）である。光透過部材５１は、例えば、白色又は乳白色であり、光拡散性（光散乱性）及び透光性を有する。
【００４０】
光透過部材５１は、枠体５２の下側の開口を塞ぐように枠体５２に取付けられる。光透過部材５１は、具体的には、外側に向かって鍔状にせり出した光透過部材５１の縁が、支持枠１００と枠体５２の鍔状にせり出した部分との間に挟み込まれることによって、枠体５２に取付けられる。
【００４１】
光透過部材５１は、例えば、ガラスによって形成されるが、シリコーン樹脂、アクリル樹脂、又は、ポリカーボネート樹脂によって形成されてもよい。また、光透過部材５１は、表面にシルク印刷が行われることによって光拡散性を有してもよい。また、光透過部材５１は、シリカ又は炭酸カルシウムなどの光拡散材（微粒子）を含有することにより光拡散性を有してもよい。また、光透過部材５１の表面（内面又は外面）に光拡散材等を含む乳白色の光拡散膜を形成することで、光透過部材５１は光拡散性を有してもよい。また、光拡散材を用いるのではなくシボ加工処理等によって光透過部材５１の表面に微小凹凸を形成したり、光透過部材５１の表面にドットパターンを印刷したりすることで、光透過部材５１は光拡散性を有してもよい。また、上述した光拡散性を持たせる材料、形状等を組み合わせることで、光透過部材５１は光拡散性を有してもよい。
【００４２】
枠体５２は、発光部３０及び反射板４０などを側方から囲む筒状筐体である。本実施の形態においては、枠体５２は、円筒状である。枠体５２は、器具本体１１及び光透過部材５１とともに、照明装置１０の外郭筐体を構成する。枠体５２は、外郭筐体の側壁部分に相当する。なお、枠体５２は、取付け部１４には接触しない。枠体５２と取付け部１４との間には空隙（空気層）が形成される。
【００４３】
枠体５２は、上側の開口に器具本体１１が配置された状態で回動されることにより、器具本体１１に接続される。具体的には、枠体５２の内壁には、器具本体１１の側壁部１３に形成された雄ねじと螺合する雌ねじが形成されている。器具本体１１と枠体５２とは、当該雄ねじと当該雌ねじとが回動されて螺合することにより接続される。枠体５２は、例えば、アルミダイカストによって形成されるが、その他の金属、又は、樹脂によって形成されてもよい。
【００４４】
また、器具本体１１に透光カバー５０が取付けられた場合に、照明装置１０は、発光部３０が発する光の光軸Ｌ方向の長さ（高さ）に対して、光軸Ｌ方向に対して垂直な方向の長さ（幅）の方が大きい扁平形状である。なお、本実施の形態においては、照明装置１０は、平面視において円形であるが、楕円形状又は多角形などでもよく、平面視形状は限定されない。照明装置１０の平面視形状が円形ではない場合は、照明装置１０は、発光部３０が発する光の光軸Ｌに平行な方向の長さに対して、照明装置１０における最も長い垂直な方向の長さの方が大きい扁平形状であるとよい。
【００４５】
なお、照明装置１０が防災用の照明装置として採用される場合、照明装置１０の外郭筐体を構成する器具本体１１及び透光カバー５０は、不燃性又は難燃性の材料で形成されるとよい。具体的には、上述したように、器具本体１１及び枠体５２はアルミダイカストによって形成され、光透過部材５１はガラスによって形成されるとよい。こうすることにより、火災が発生した際などに、照明装置１０が延焼によって発火することが抑制される。
【００４６】
また、照明装置１０は、取付けシート９０及びパッキン１１０を備えてもよい。
【００４７】
取付けシート９０は、ベース部１２の取付け面１２ｂ側に配置され、ベース部１２と造営材とを密着させやすくするための緩衝部材である。取付けシート９０には、ベース部１２に形成された造営材に取付けるための取付け構造（開口）に対応した位置に、取付け構造（開口）が形成される。取付けシート９０は、例えば、不燃性又は難燃性であり、水が透過しにくいウレタン等の樹脂材料によって形成される。
【００４８】
パッキン１１０は、側壁部１３の外周面１３ａと枠体５２の内周面５２ａとの間に位置し、枠体５２と側壁部１３とを密着させやすくするための環状の気密封止部材である。パッキン１１０は、側壁部１３の外周面１３ａに沿って形成される。言い換えると、パッキン１１０は側壁部１３の外周面１３ａに、器具本体１１の周方向に延在して形成される。パッキン１１０は、例えば、ゴム弾性を有する樹脂材料によって形成される。
【００４９】
次に、点灯制御装置７０の詳細について説明する。
【００５０】
図７は、実施の形態に係る点灯制御装置７０の外観斜視図である。図８は、実施の形態に係る点灯制御装置７０の分解斜視図である。図９は、実施の形態に係る照明装置１０の構成要素の配置を説明するための下面図である。具体的には、図９は、実施の形態に係る照明装置１０の、透光カバー５０及び反射板４０を取り外した場合を示す下面図である。なお、図９においては、説明のためにモニタカバー７２及び制御カバー７６を図示していない。図１０は、図４のＸ−Ｘ線に対応する位置で照明装置を切断した場合の断面図である。つまり、図１０は、透光カバー５０を取付けた状態の照明装置１０を、図４に示すＸ−Ｘ線に対応する位置に沿って切断した断面を示す断面図である。
【００５１】
点灯制御装置７０は、照明装置１０が備える発光部３０などを制御する制御装置である。点灯制御装置７０は、例えば、ベース部１２の下面に載置された状態でベース部１２にネジ止めされる。図７及び図８に示されるように、点灯制御装置７０は、主基板７７と、制御カバー７６と、モニタユニット７１とを備える。
【００５２】
主基板７７は、発光部３０の点灯状態を制御する制御回路１２３を構成する複数の電子部品１２０が実装された回路基板である。複数の電子部品１２０は、例えば、トランス等の発熱しやすい（相対的に発熱量の大きい）電子部品と、マイコン等の発熱しにくい（相対的に発熱量の小さい）電子部品を含むなお、以下の説明において、複数の電子部品１２０と記載している場合、電子部品１２１、１２２を含むものとする。
【００５３】
制御回路１２３は、発光部３０及びモニタランプ７３の点灯状態を制御する処理回路である。また、制御回路１２３は、点検スイッチ７４が操作者から指示を取得した場合に、複数の電子部品１２０、又は照明装置１０が備える電子部品、例えば蓄電池６０、又は制御回路１２３を構成する電子部品１２０等が正常に機能しているかどうかの点検を行う。当該点検の結果に応じて、制御回路１２３は、モニタランプ７３を所定の点灯状態で発光させる。
【００５４】
制御回路１２３は、例えば、ゲートアレイ等を用いた専用の電子回路によってハードウェア的に実現される。なお、制御回路１２３は、制御プログラムが記憶されたメモリと、当該制御プログラムを実行するＣＰＵ（Ｃｅｎｔｒａｌ  Ｐｒｏｃｅｓｓｉｎｇ  Ｕｎｉｔ）等によって、つまりプロセッサがプログラムを実行することによってソフトウェア的に実現されてもよい。
【００５５】
また、主基板７７は、上述したように、電源回路を含む。具体的には、制御回路１２３は、主基板７７に回路部品となる複数の電子部品１２０が実装されることにより形成された電源回路を含む。電源回路は、整流回路及びインバータ回路などを含む。
【００５６】
また、電源回路には、蓄電池６０を充電する充電回路が含まれる。充電回路は、照明装置１０の外部から供給される交流電力を蓄電池６０の充電に適した直流電力に変換し、直流電力によって蓄電池６０を充電する。本実施の形態では、照明装置１０においては、停電時などの非常時においても照明装置１０の使用が可能なように蓄電池６０は充電される。
【００５７】
また、電源回路には、外部からの交流電力の供給の停止（停電）を検出する検出回路、及び、蓄電池６０を放電する放電回路も含まれる。検出回路によって停電が検出されると、放電回路は、蓄電池６０を放電させる。この結果、蓄電池６０から、発光部３０に直流電力を供給する。これにより、照明装置１０は、停電時も発光を継続することができる。
【００５８】
制御カバー７６は、主基板７７を覆うカバー部材である。制御カバー７６は、反射板４０に設けられた傾斜部４２の形状に沿った傾斜した形状を有する。制御カバー７６は、例えば、アルミダイカスト又は不燃性若しくは難燃性の樹脂材料によって形成される。
【００５９】
また、主基板７７の法線方向（具体的には、Ｙ軸正方向側）に位置する制御カバー７６の天面７６ａは、反射板４０の形状に沿うように、発光部３０から離れるにつれて主面１２ａに対して傾斜した形状を有する。具体的には、天面７６ａは、傾斜面７６ｂを含む。図１０に示されるように、制御カバー７６の傾斜面７６ｂは、傾斜面７６ｂのＹ軸正方向側に位置する反射板４０の傾斜部４２に沿うように形成されている。より具体的には、制御カバー７６の傾斜面７６ｂは、傾斜面７６ｂのＹ軸正方向側に位置する反射板４０の傾斜部４２に対して略平行となるように形成されている。
【００６０】
また、主基板７７の法線方向（具体的には、Ｙ軸正方向側）に位置する制御カバー７６の天面７６ａは、反射板４０の形状に沿うように、発光部３０から離れるにつれて主面１２ａに対して傾斜し、さらに、主面１２ａに対して略平行方向に向かって屈曲した形状を有する。具体的には、天面７６ａは、傾斜面７６ｂと、傾斜面７６ｂから主基板７７側に屈曲して延在する平坦面７６ｃとを有する。
【００６１】
図１０に示されるように、制御カバー７６の平坦面７６ｃは、平坦面７６ｃのＹ軸正方向側に位置する反射板４０の平坦部４３に沿うように形成されている。具体的には、制御カバー７６の平坦面７６ｃは、平坦面７６ｃのＹ軸正方向側に位置する反射板４０の平坦部４３に対して略平行となるように形成されている。
【００６２】
モニタユニット７１は、モニタランプ７３等が配置され、照明装置１０が備える電子部品等の状態を、照明装置１０の使用者（操作者）へ報知するためのユニットである。モニタユニット７１には、モニタランプ７３を収容し、モニタランプ７３が発する光を反射する反射性を有した樹脂材料によってモニタランプ７３の周囲を覆う筒状の孔である筒部７９が設けられる。モニタユニット７１は、モニタカバー７２と、モニタランプ７３と、点検スイッチ７４とを備える。
【００６３】
モニタカバー７２は、副基板７８を覆うカバー部材である。また、モニタカバー７２には、モニタランプ７３が発する光を反射する樹脂材料によってモニタランプ７３の周囲を覆う筒状の孔である筒部７９が設けられる。
【００６４】
筒部７９は、モニタランプ７３が発する光の配光を制御する機能を有する部分である。筒部７９は、モニタランプ７３から発せられる光の一部を、光透過部材５１に向けて反射する。具体的には、筒部７９は、モニタランプ７３が発する光の広がりを抑制するように機能する。筒部７９は、例えば樹脂材料によってモニタランプ７３の周囲を囲むように筒状に形成される。当該樹脂材料は、例えば酸化チタンなどの反射性（光反射性）の材料を添加したシリコーン樹脂などである。これにより、筒部７９は、モニタランプ７３が発する光を光透過部材５１側へ反射するようにも機能する。なお、筒部７９には、モニタランプ７３が発する光の広がりを抑制するために、例えばレンズ等が設けられてもよい。
【００６５】
モニタランプ７３は、照明装置１０が備える電子部品、例えば照明装置１０が備える電子部品の一例である蓄電池６０の状態に応じて点灯状態が切り替わる光源である。具体的には、モニタランプ７３は、点灯（連続点灯）又は点滅することにより蓄電池６０が正常に機能しているかどうかを照明装置１０の操作者へ提示（報知）するランプである。モニタランプ７３は、例えば、砲弾型ＬＥＤにより構成される。また、上述したように、照明装置１０は、モニタランプ７３とは別に、照明装置１０の照明用光源として機能する発光部３０を備える。発光部３０が点灯中においても、モニタランプ７３が光を発しているかどうかを確認しやすくするために、発光部３０及びモニタランプ７３が発する光の色は異なるとよい。例えば、発光部３０は白色光を発し、モニタランプ７３は緑色光を発してもよい。モニタランプ７３は、平坦部４３に形成された貫通孔である開口部４４に対応した位置に配置される。
【００６６】
ここで、モニタランプ７３の光出射位置は、平坦部４３と略同一面又は反射板４０よりも載置面４１側に位置する（図６参照）とよい。これにより、モニタランプ７３が発する光は、光透過部材５１を通過して照明装置１０の外側へ出射されやすくなる。
【００６７】
点検スイッチ７４は、照明装置１０を利用する操作者からの指示を取得するスイッチである。具体的には、点検スイッチ７４が操作者からの指示を取得した場合に、制御回路１２３は蓄電池６０の状態を確認する処理を実行する。点検スイッチ７４は、例えば操作者が直接押圧するボタンでもよいが、ＰＤ（Ｐｈｏｔｏ  Ｄｉｏｄｅ）等の光センサであるとよい。つまり、点検スイッチ７４は、操作者が操作するリモートコントローラから発せられる赤外線などの信号を受信する光センサであるとよい。なお、点検スイッチ７４の一例として、上述したボタン式のスイッチと、光センサとが照明装置１０に備えられていてもよい。本実施の形態においては、点灯制御装置７０は、点検スイッチ７４と、上述した光センサとして、受光部７５とを備える。
【００６８】
副基板７８は、モニタランプ７３及び点検スイッチ７４が実装され、モニタランプ７３及び点検スイッチ７４に電力を供給するための回路が形成された回路基板である。
【００６９】
また、副基板７８は、平面視（主基板７７の法線方向から見た場合）において、主基板７７と重なり、且つ主基板７７の法線方向に所定距離離れた位置に配置される。より具体的には、図６に示されるように、主基板７７と副基板７８とは、所定距離ｈ離れた位置に配置されるとよい。なお、所定距離ｈは、特に限定されないが、モニタランプ７３と制御回路１２３とがそれぞれ異なる基板上に実装、又は形成され、制御回路１２３が形成される主基板７７とモニタランプ７３が実装される副基板７８とは接触していないとよい。本実施の形態においては、主基板７７の面積は７２００ｍｍ２であり、副基板７８の面積は６４０ｍｍ２であり、所定距離ｈは１５ｍｍである。
【００７０】
主基板７７に実装される制御回路１２３を構成する電子部品１２０には、例えばトランス、ダイオード、ＦＥＴ（Ｆｉｅｌｄ  Ｅｆｆｅｃｔ  Ｔｒａｎｓｉｓｔｏｒ）等、発熱しやすい電子部品も含まれる。そのため、熱に弱い電子部品、例えばモニタランプ７３は、当該発熱しやすい電子部品と離れた位置に設けられるとよい。
【００７１】
図６に示されるように、副基板７８は、制御カバー７６の外側に配置される。言い換えると、制御カバー７６は、主基板７７と副基板７８との間に配置される。このように、制御回路１２３が形成される主基板７７とモニタランプ７３が実装される副基板７８とは、制御カバー７６によって、空間的に分離されてもよい。
【００７２】
また、主基板７７には、上述したように、制御回路１２３を構成する複数の電子部品１２０が実装されている。複数の電子部品１２０には、トランス、ダイオード、ＦＥＴ等の複数の種類の電子部品が含まれる。複数の電子部品１２０の各々は、種類によってサイズが異なる。具体的には、複数の電子部品１２０の各々は、実装される主基板７７からの高さが種類によって異なる。
【００７３】
図１１は、実施の形態に係る主基板７７と、主基板７７に実装された複数の電子部品を示す側面図である。
【００７４】
図９及び図１１に示されるように、主基板７７に実装される複数の電子部品１２０（具体的には、電子部品１２０、１２１、１２２）の中の最も高背な電子部品１２１は、複数の電子部品１２０の中で発光部３０から最も離れた位置に実装される。なお、本実施の形態において、最も離れた位置とは、平面視における発光部３０の略中心から、主基板７７の電子部品が実装される実装面に平行な方向に、電子部品における発光部３０から最も離れた部分とする。例えば、電子部品１２１においては、発光部３０との距離である離間距離Ａは、発光部３０の中心から、図１１に示される最遠部１２１ａまでの距離とする。本実施の形態において、最も高背な電子部品１２１はトランスであり、当該トランスの主基板７７からの高さは、２３ｍｍである。
【００７５】
また、主基板７７に実装される複数の電子部品１２０の中の相対的に低背な電子部品は、複数の電子部品１２０の中で相対的に発光部３０に近い位置に実装され、相対的に高背な電子部品は、複数の電子部品１２０の中で相対的に発光部３０から離れた位置に実装されるとよい。天面７６ａは、複数の電子部品１２０の高さに応じて、傾斜面７６ｂ及び平坦面７６ｃが設けられる。つまり、天面７６ａは、複数の電子部品１２０の高さにあわせて、且つ、反射板４０の形状に沿うような形状となる。なお、電子部品の相対的な高さの基準は、例えば、各電子部品の主基板７７からの高さの平均値から算出されてもよい。例えば、高さが当該平均値以上ある電子部品を相対的に高背としてもよいし、高さが当該平均値未満の電子部品を相対的に低背としてもよい。
【００７６】
また、主基板７７に実装される複数の電子部品１２０の中で、相対的に発熱量が大きい１又は複数の電子部品は、相対的に発熱量が小さい１又は複数の電子部品よりも相対的に発光部３０から離れた位置に実装される。本実施の形態においては、発熱しやすい（相対的に発熱量が大きい）電子部品の一例であるトランス（電子部品１２１）は発光部３０から相対的に遠い位置に実装され、相対的に発熱量が小さい電子部品１２２の一例であるマイコン（電子部品１２２）は、発光部３０に相対的に近い位置に実装される。こうすることで、点灯制御装置７０が備える複数の電子部品１２０が発光部３０に与える熱の影響を抑制することができる。なお、電子部品の相対的な発熱量の基準は、例えば、主基板７７に実装される各電子部品に通電した場合における発熱量の平均値から算出されてもよい。例えば、発熱量が当該平均値以上ある電子部品を相対的に発熱量が大きいとしてもよいし、発熱量が当該平均値未満の電子部品を相対的に発熱量が小さいとしてもよい。
【００７７】
また、平面視において、副基板７８は、例えばトランス、ダイオード、ＦＥＴ等の発熱しやすい電子部品と重ならないとよい。こうすることで、副基板７８へ与える熱の影響が抑制される。
【００７８】
なお、本実施の形態において、副基板７８には、モニタランプ７３及び点検スイッチ７４が実装されているが、これに限定されない。例えば、操作者が発光部３０の点灯又は消灯を指示するための外部機器と通信可能な通信モジュールが実装されてもよい。
【００７９】
［効果等］
以上説明したように、実施の形態に係る照明装置１０は、発光部３０と、発光部３０が載置される載置面４１を有し、発光部３０が発する光を反射する反射板４０と、載置面４１とは反対側の面側に配置され、発光部３０の点灯状態を制御する点灯制御装置７０とを備える。また、照明装置１０は、さらに点灯制御装置７０が載置される主面１２ａを有し、反射板４０が取付けられる器具本体１１を備える。発光部３０は、平面視した場合に、反射板４０の中央部に位置する。反射板４０は、発光部３０から離れるにつれて開口面積が広がる形状である。点灯制御装置７０は、主基板７７と、主基板７７に実装される複数の電子部品１２０とを有する。複数の電子部品１２０の中の最も高背な電子部品１２１は、複数の電子部品１２０の中で発光部３０から最も離れた位置に実装される。
【００８０】
この構成によれば、反射板４０と主面１２ａとが、主面１２ａの法線方向に最も離れた位置に、最も高背な電子部品が配置される。つまり、器具本体１１に取付けられ、発光部３０から離れるにつれて開口面積が広がる形状を有する反射板４０と、器具本体１１（具体的にはベース部１２）との間に形成されるスペースを好適に利用することができる。そのため、照明装置１０によれば、低背化が実現される。言い換えると、照明装置１０によれば、小型化が実現される。
【００８１】
また、主基板７７に実装される複数の電子部品１２０の中で、相対的に発熱量が大きい電子部品は、相対的に発熱量が小さい電子部品よりも相対的に発光部３０から離れた位置に実装されてもよい。
【００８２】
例えば、発光部３０に用いられるＬＥＤ等の光源は、熱に弱いことが多い。この構成によれば、主基板７７に実装される複数の電子部品１２０のうち、相対的に発熱量が大きい電子部品は、発光部３０から遠い位置に配置される。これにより、発光部３０が受ける複数の電子部品１２０からの熱の影響は抑制される。そのため、この構成によれば、発光部３０が故障しにくい。
【００８３】
また、照明装置１０は、さらに、主基板７７を覆う制御カバー７６を備えてもよい。
【００８４】
これにより、制御回路１２３を構成する複数の電子部品１２０は、制御カバー７６によって保護される。そのため、点灯制御装置７０は故障しにくくなる。
【００８５】
また、主基板７７の法線方向に位置する制御カバーの天面７６ａは、反射板４０の形状に沿うように、発光部３０から離れるにつれて主面１２ａに対して傾斜した形状を有してもよい。
【００８６】
この構成によれば、反射板４０と、器具本体１１（具体的にはベース部１２）との間に形成されるスペースがより好適に利用される。そのため、この構成によれば、低背化が実現される。
【００８７】
また、反射板４０の周縁には、フランジ状の平坦部４３が設けられてもよい。この場合に、天面７６ａは、反射板４０の形状に沿うように発光部３０から離れるにつれて主面１２ａに対して傾斜し、さらに平坦部４３に沿うように屈曲して延在した形状を有してもよい。
【００８８】
この構成によれば、反射板４０と、器具本体１１（具体的にはベース部１２）との間に形成されるスペースがさらに好適に利用され得る。そのため、この構成によれば、低背化が実現される。
【００８９】
また、点灯制御装置７０は、さらに、複数の電子部品が実装され、平面視において主基板７７より面積が小さい副基板７８を備えてもよい。副基板７８は、平面視した場合に反射板４０の周縁で主基板７７と重なり、且つ、主基板７７の法線方向に主基板７７とは離れた位置に配置されてもよい。
【００９０】
つまり、モニタランプ７３が備えるＬＥＤ光源等、熱に弱い電子部品を点灯制御装置７０が備える場合、発熱しやすい電子部品が実装される基板と、熱に弱い電子部品が実装される基板とは異なるとよい。こうすることで、平面視における点灯制御装置７０の面積を大きくすることなく、発熱しやすい電子部品が実装される基板と、熱に弱い電子部品が実装される基板とを分けることができる。そのため、点灯制御装置７０は、熱に対する信頼性が向上される。
【００９１】
また、副基板７８は、平面視した場合に反射板４０の周縁に位置する。つまり、副基板７８は、主基板７７に実装される電子部品１２０の中で、発光部３０から相対的に離れて配置される。副基板７８は、主基板７７から離れて配置されるために、所定距離ｈだけ高さが必要となる。つまり、主基板７７に実装される相対的に高背な電子部品と同様に、副基板７８もまた発光部３０から相対的に離れた位置に配置されるとよい。このような構成によれば、点灯制御装置７０の低背化が実現される。つまり、点灯制御装置７０を内部に備える照明装置１０は、低背化される。
【００９２】
（その他の実施の形態）
以上、実施の形態に係る照明装置について説明したが、本発明は、このような実施の形態に限定されるものではない。
【００９３】
上記実施の形態で説明された照明装置の形状は、一例である。例えば、上記実施の形態では、照明装置の平面視形状は、円形であったが、照明装置の平面視形状は、矩形などの多角形であってもよい。
【００９４】
また、上記実施の形態では、発光部として、ＣＯＢ型の発光モジュールが用いられたが、発光部の態様は特に限定されるものではない。例えば、ＳＭＤ型の発光モジュールが発光部として用いられてもよい。また、発光部には、ＬＥＤチップを用いた発光モジュールに代えて、蛍光灯、メタルハライドランプ、ナトリウムランプ、ハロゲンランプ、キセノンランプ、又は、ネオンランプ等が用いられてもよい。また、発光部には、無機エレクトロルミネッセンス、有機エレクトロルミネッセンス、ケミルミネッセンス（化学発光）、又は、半導体レーザー等が用いられてもよい。
【００９５】
また、上記実施の形態では、点検スイッチとしてボタン又は光センサを例示したが、照明装置１０の操作者からの指示を取得できればよい。例えば、点検スイッチは、無線通信装置でもよく、当該無線通信装置によって操作者からの指示を取得してもよい。照明装置１０の操作者は、無線通信により、照明装置１０へ指示を送信する。無線通信は、例えば、Ｂｌｕｅｔｏｏｔｈ（登録商標）、Ｗｉ−Ｆｉ（登録商標）又はＺｉｇＢｅｅ（登録商標）などの所定の無線通信規格に基づいて行われればよい。
【００９６】
以上、一つ又は複数の態様に係る照明装置について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、一つ又は複数の態様の範囲内に含まれてもよい。
【符号の説明】
【００９７】
１０  照明装置
１１  器具本体
１２ａ  主面
３０  発光部
４０  反射板
４１  載置面
４２  傾斜部
４３  平坦部
７０  点灯制御装置
７６  制御カバー
７６ａ  天面
７６ｂ  傾斜面
７６ｃ  平坦面
７７  主基板
７８  副基板
１２０、１２１、１２２  電子部品
【図１】
2018116916.tif 000003
【図２】
2018116916.tif 000004
【図３】
2018116916.tif 000005
【図４】
2018116916.tif 000006
【図５】
2018116916.tif 000007
【図６】
2018116916.tif 000008
【図７】
2018116916.tif 000009
【図８】
2018116916.tif 000010
【図９】
2018116916.tif 000011
【図１０】
2018116916.tif 000012
【図１１】
2018116916.tif 000013